【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
第２のデータ処理装置における通信方法であって、
第１のデータ処理装置により管理される入出力資源のネットワークインターフェースドライバを共有するドライバ共有工程と、
前記第２のデータ処理装置により遂行され、前記ネットワークインターフェースドライバに対して送信される主情報と、前記第２のデータ処理装置が前記主情報を送る通信プロトコル及び前記入出力資源を表現する付加情報とを関連付ける関連付け工程と、
前記第１および第２のデータ処理装置により共同で遂行され、前記第２のデータ処理装置から前記第１のデータ処理装置へと前記主情報及び前記付加情報を送信する送信工程とを有し、
前記送信工程において、前記主情報は、ネットワークにアクセスする前記ネットワークインターフェースドライバに送信されることを特徴とする通信方法。
【請求項２】
前記主情報と前記付加情報とを送信する送信工程の後で、前記第１のデータ処理装置は、前記付加情報と前記主情報とを分離する分離工程を遂行することを特徴とする請求項１に記載の通信方法。
【請求項３】
前記主情報を送信する送信工程の間、
前記第２のデータ処理装置は、情報を中間格納部へと格納する格納工程を遂行し、
前記第１のデータ処理装置は、前記中間格納部より情報を読み出す読出し工程を遂行することを特徴とする、請求項１に記載の通信方法。
【請求項４】
第１のデータ処理装置における通信方法であって、
前記第１のデータ処理装置により管理される入出力資源のネットワークインターフェースドライバを実行する実行工程と、
前記第１のデータ処理装置により遂行され、前記ネットワークインターフェースドライバからの主情報と、前記主情報のための通信プロトコル及び前記入出力資源を表現する付加情報とを関連付ける関連付け工程と、
前記第１および第２のデータ処理装置により共同で遂行され、前記第１のデータ処理装置から前記第２のデータ処理装置へと前記主情報及び前記付加情報を送信する送信工程とを有し、
前記送信工程において、前記主情報は、前記ネットワークにアクセスするネットワークインターフェースドライバから送信されることを特徴とする通信方法。
【請求項５】
前記主情報と前記付加情報とを送信する送信工程の後で、前記第２のデータ処理装置は、前記付加情報と前記主情報とを分離する分離工程を遂行することを特徴とする請求項４に記載の通信方法。
【請求項６】
前記主情報および付加情報を送信する送信工程の間、
前記第１のデータ処理装置は、情報を中間格納部へと格納する格納工程を遂行し、
前記第２のデータ処理装置は、前記中間格納部より情報を読み出す読出し工程を遂行することを特徴とする、請求項４に記載の通信方法。
【請求項７】
前記関連付け工程の間は、前記付加情報は、前記主情報のタイプを表し、タイプは、前記入出力資源を利用するために解釈される信号及び制御情報またはそのいずれか、あるいは、遠隔地点へ送信される情報に対応することを特徴とする請求項４に記載の通信方法。
【請求項８】
前記関連付け工程の間は、前記付加情報は、前記主情報が送られるデータ処理装置を表すことを特徴とする請求項４に記載の通信方法。
【請求項９】
前記関連付け工程の間は、前記付加情報は、前記主情報が向けられるデータ処理装置を表すことを特徴とする請求項６乃至９のいずれかひとつに記載の通信方法。
【請求項１０】
第２のデータ処理装置であって、
第１のデータ処理装置により管理される入出力資源のネットワークインターフェースドライバを共有するドライバ共有手段と、
前記ネットワークインターフェースドライバに対して送信される主情報と、前記第２のデータ処理装置に前記主情報を送る通信プロトコル及び前記入出力資源を表現する付加情報とを関連付ける関連付け手段と、
前記第２のデータ処理装置から前記第１のデータ処理装置へと前記主情報及び前記付加情報を送信する送信手段とを有し、
前記送信手段において、前記主情報は、ネットワークを介して他のデータ処理装置と通信するために、前記ネットワークインターフェースドライバに送信されることを特徴とする第２のデータ処理装置。
【請求項１１】
前記第１のデータ処理装置は、前記付加情報と前記主情報とを分離する分離手段を有することを特徴とする請求項１０に記載の第２のデータ処理装置。
【請求項１２】
各データ処理装置は非同期クロックを含むことを特徴とする請求項１０に記載の第２のデータ処理装置。
【請求項１３】
前記主情報と付加情報とを中間メモリに格納するための格納手段を更に備え、前記送信手段は前記中間メモリを含み、前記第１のデータ処理装置は、前記中間メモリに格納された前記主情報と付加情報とを読み出すための読み出し手段を含むことを特徴とする請求項１０に記載の第２のデータ処理装置。
【請求項１４】
第１のデータ処理装置であって、
第１のデータ処理装置により管理される入出力資源のネットワークインターフェースドライバを実行する実行手段と、
前記ネットワークインターフェースドライバからの主情報と、前記主情報を通信するための通信プロトコル及び前記入出力資源を表現する付加情報とを関連付ける関連付け手段と、
前記第１のデータ処理装置から前記第２のデータ処理装置へと前記主情報及び前記付加情報を送信する送信手段とを有し、
前記送信手段において、前記主情報は、前記ネットワークにアクセスする前記ネットワークインターフェースドライバから送信されることを特徴とする第１のデータ処理装置。
【請求項１５】
前記第２のデータ処理装置は、前記付加情報と前記主情報とを分離する分離手段を含むことを特徴とする請求項１４に記載の第１のデータ処理装置。
【請求項１６】
各データ処理装置は非同期クロックを含むことを特徴とする請求項１５に記載の第１のデータ処理装置。
【請求項１７】
前記第１及び第２のデータ処理装置は、異なるハードウエアアーキテクチャが用いられていることを特徴とする請求項１０に記載の第２のデータ処理装置。
【請求項１８】
前記第１及び第２のデータ処理装置は、異なるオペレーティングシステムを用いることを特徴とする請求項１０に記載の第２のデータ処理装置。
【請求項１９】
前記送信手段は中間メモリを有し、
前記第１のデータ処理装置は、前記主情報と付加情報とを前記中間メモリに格納するための格納手段を含み、
前記第２のデータ処理装置は、前記中間メモリに格納された前記主情報と付加情報とを読み出すための読み出し手段を更に備えることを特徴とする請求項１０に記載の第２のデータ処理装置。
【請求項２０】
前記付加情報が前記主情報のタイプを表し、タイプは、前記入出力資源で利用するために解釈される信号及び制御情報あるいはそのいずれか、または、遠隔地点へ送信される情報に対応するよう、前記関連付け手段は適合させられることを特徴とする請求項１０に記載の第２のデータ処理装置。
【請求項２１】
前記付加情報が前記主情報が来るデータ処理装置を表すよう、前記関連付け手段は適合させられることを特徴とする請求項１０に記載の第２のデータ処理装置。
【請求項２２】
前記付加情報が前記主情報が向けられるデータ処理装置を表すよう、前記関連付け手段は適合させられることを特徴とする請求項１０に記載の第２のデータ処理装置。
【請求項２３】
送信チャネルと、  ひとつが請求項１０に記載の第２のデータ処理装置である、少なくとも２つのデータ処理装置と
を備え、
各入出力資源が前記送信チャネルに接続されていることを特徴とするネットワーク。
【手続補正２】
【補正対象書類名】明細書
【補正対象項目名】０００７
【補正方法】変更
【補正の内容】
【０００７】
【課題を解決するための手段】
本発明はこれらの欠点を解決することを目的とする。この目的のために、本発明は、第２のデータ処理装置における通信方法であって、第１のデータ処理装置により管理される入出力資源のネットワークインターフェースドライバを共有するドライバ共有工程と、前記第２のデータ処理装置により遂行され、前記ネットワークインターフェースドライバに対して送信される主情報と、前記第２のデータ処理装置が前記主情報を送る通信プロトコル及び前記入出力資源を表現する付加情報とを関連付ける関連付け工程と、前記第１および第２のデータ処理装置により共同で遂行され、前記第２のデータ処理装置から前記第１のデータ処理装置へと前記主情報及び前記付加情報を送信する送信工程とを有し、前記送信工程において、前記主情報は、ネットワークにアクセスする前記ネットワークインターフェースドライバに送信される。
【手続補正３】
【補正対象書類名】明細書
【補正対象項目名】０００８
【補正方法】変更
【補正の内容】
【０００８】
更に好ましくは、前記主情報と前記付加情報とを送信する送信工程の後で、前記第１のデータ処理装置は、前記付加情報と前記主情報とを分離する分離工程を遂行する。
【手続補正４】
【補正対象書類名】明細書
【補正対象項目名】０００９
【補正方法】変更
【補正の内容】
【０００９】
更に好ましくは、前記主情報を送信する送信工程の間、前記第２のデータ処理装置は、情報を中間格納部へと格納する格納工程を遂行し、前記第１のデータ処理装置は、前記中間格納部より情報を読み出す読出し工程を遂行する。
【手続補正５】
【補正対象書類名】明細書
【補正対象項目名】００１０
【補正方法】変更
【補正の内容】
【００１０】
あるいは、本発明は以下の構成を備える。すなわち、第１のデータ処理装置における通信方法であって、前記第１のデータ処理装置により管理される入出力資源のネットワークインターフェースドライバを実行する実行工程と、前記第１のデータ処理装置により遂行され、前記ネットワークインターフェースドライバからの主情報と、前記主情報のための通信プロトコル及び前記入出力資源を表現する付加情報とを関連付ける関連付け工程と、前記第１および第２のデータ処理装置により共同で遂行される、前記第１のデータ処理装置から前記第２のデータ処理装置へと前記主情報及び前記付加情報を送信する送信工程とを有し、前記送信工程において、前記主情報は、前記ネットワークにアクセスするネットワークインターフェースドライバから送信される。
【手続補正６】
【補正対象書類名】明細書
【補正対象項目名】００１１
【補正方法】変更
【補正の内容】
【００１１】
更に好ましくは、前記主情報と前記付加情報とを送信する送信工程の後で、前記第２のデータ処理装置は、前記付加情報と前記主情報とを分離する分離工程を遂行する。
【手続補正７】
【補正対象書類名】明細書
【補正対象項目名】００１２
【補正方法】変更
【補正の内容】
【００１２】
更に好ましくは、前記主情報および付加情報を送信する送信工程の間、前記第１のデータ処理装置は、情報を中間格納部へと格納する格納工程を遂行し、前記第２のデータ処理装置は、前記中間格納部より情報を読み出す読出し工程を遂行する。
【手続補正８】
【補正対象書類名】明細書
【補正対象項目名】００１３
【補正方法】変更
【補正の内容】
【００１３】
更に好ましくは、前記関連付け工程の間は、前記付加情報は前記主情報のタイプを表し、タイプは、前記入出力資源を利用するために解釈される信号及び制御情報またはそのいずれか、あるいは、遠隔地点へ送信される情報に対応する。
【手続補正９】
【補正対象書類名】明細書
【補正対象項目名】００１４
【補正方法】変更
【補正の内容】
【００１４】
更に好ましくは、前記関連付け工程の間は、前記付加情報は、前記主情報が来るデータ処理装置を表す。
【手続補正１０】
【補正対象書類名】明細書
【補正対象項目名】００１５
【補正方法】変更
【補正の内容】
【００１５】
更に好ましくは、前記関連付け工程の間は、前記付加情報は、前記主情報が向けられるデータ処理装置を表す。
【手続補正１１】
【補正対象書類名】明細書
【補正対象項目名】００１６
【補正方法】変更
【補正の内容】
【００１６】
あるいは本発明は以下の構成を備える。すなわち、第２のデータ処理装置であって、第１のデータ処理装置により管理される入出力資源のネットワークインターフェースドライバを共有するドライバ共有手段と、前記ネットワークインターフェースドライバに対して送信される主情報と、前記第２のデータ処理装置に前記主情報を送る通信プロトコル及び前記入出力資源を表現する付加情報とを関連付ける関連付け手段と、前記第２のデータ処理装置から前記第１のデータ処理装置へと前記主情報及び前記付加情報を送信する送信手段とを有し、前記送信手段において、前記主情報は、ネットワークを介して他のデータ処理装置と通信するために、前記ネットワークインターフェースドライバに送信される。
【手続補正１２】
【補正対象書類名】明細書
【補正対象項目名】００１７
【補正方法】変更
【補正の内容】
【００１７】
更に好ましくは、前記第１のデータ処理装置は、前記付加情報と前記主情報とを分離する分離手段を有する。
【手続補正１３】
【補正対象書類名】明細書
【補正対象項目名】００１８
【補正方法】変更
【補正の内容】
【００１８】
更に好ましくは、各データ処理装置は非同期クロックを含む。
【手続補正１４】
【補正対象書類名】明細書
【補正対象項目名】００１９
【補正方法】変更
【補正の内容】
【００１９】
更に好ましくは、前記主情報と付加情報とを中間メモリに格納するための格納手段を更に備え、前記送信手段は前記中間メモリを含み、前記第１のデータ処理装置は、前記中間メモリに格納された前記主情報と付加情報とを読み出すための読み出し手段を含む。
【手続補正１５】
【補正対象書類名】明細書
【補正対象項目名】００２０
【補正方法】変更
【補正の内容】
【００２０】
あるいは、本発明は以下の構成を備える。すなわち、第１のデータ処理装置であって、第１のデータ処理装置により管理される入出力資源のネットワークインターフェースドライバを実行する実行手段と、前記ネットワークインターフェースドライバからの主情報と、前記主情報を通信するための通信プロトコル及び前記入出力資源を表現する付加情報とを関連付ける関連付け手段と、前記第１のデータ処理装置から前記第２のデータ処理装置へと前記主情報及び前記付加情報を送信する送信手段とを有し、前記送信手段において、前記主情報は、前記ネットワークにアクセスする前記ネットワークインターフェースドライバから送信される。
【手続補正１６】
【補正対象書類名】明細書
【補正対象項目名】００２１
【補正方法】変更
【補正の内容】
【００２１】
更に好ましくは、 前記第２のデータ処理装置は、前記付加情報と前記主情報とを分離する分離手段を含む。
【手続補正１７】
【補正対象書類名】明細書
【補正対象項目名】００２２
【補正方法】変更
【補正の内容】
【００２２】
更に好ましくは、各データ処理装置は非同期クロックを含む。
【手続補正１８】
【補正対象書類名】明細書
【補正対象項目名】００２３
【補正方法】変更
【補正の内容】
【００２３】
更に好ましくは、前記第１及び第２のデータ処理装置は、異なるハードウエアアーキテクチャが用いられている。
【手続補正１９】
【補正対象書類名】明細書
【補正対象項目名】００２４
【補正方法】変更
【補正の内容】
【００２４】
更に好ましくは、前記第１及び第２のデータ処理装置は、異なるオペレーティングシステムを用いる。
【手続補正２０】
【補正対象書類名】明細書
【補正対象項目名】００２５
【補正方法】変更
【補正の内容】
【００２５】
更に好ましくは、前記送信手段は中間メモリを有し、前記第１のデータ処理装置は、前記主情報と付加情報とを前記中間メモリに格納するための格納手段を含み、前記第２のデータ処理装置は、前記中間メモリに格納された前記主情報と付加情報とを読み出すための読み出し手段を更に備える。
【手続補正２１】
【補正対象書類名】明細書
【補正対象項目名】００２６
【補正方法】変更
【補正の内容】
【００２６】
更に好ましくは、前記付加情報が前記主情報のタイプを表し、タイプは、前記入出力資源で利用するために解釈される信号及び制御情報あるいはそのいずれか、または、遠隔地点へ送信される情報に対応するよう、前記関連付け手段は適合させられる。
【手続補正２２】
【補正対象書類名】明細書
【補正対象項目名】００２７
【補正方法】変更
【補正の内容】
【００２７】
更に好ましくは、前記付加情報が前記主情報が来るデータ処理装置を表すよう、前記関連付け手段は適合させられる。
【手続補正２３】
【補正対象書類名】明細書
【補正対象項目名】００２８
【補正方法】変更
【補正の内容】
【００２８】
更に好ましくは、前記付加情報が前記主情報が向けられるデータ処理装置を表すよう、前記関連付け手段は適合させられる。
【手続補正２４】
【補正対象書類名】明細書
【補正対象項目名】００２９
【補正方法】変更
【補正の内容】
【００２９】
あるいは、本発明は以下の構成を備える。すなわち、送信チャネルと、ひとつが上記第２のデータ処理装置である、少なくとも２つのデータ処理装置とを備え、各入出力資源が前記送信チャネルに接続されている。
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】